(57)【特許請求の範囲】
【請求項１】
電極を有する第１主面と、前記第１主面の反対側の第２主面と、前記第１主面及び前記第２主面との間にある第１長側面と、前記第１長側面の反対側の第２長側面と、前記第１主面及び前記第２主面との間にある第１短側面と、前記第１短側面の反対側の第２短側面と、を備えた直方体の積層構造体を備えた発光素子を準備する工程と、
前記発光素子が収容可能であって、前記発光素子の第１及び第２長側面とそれぞれ対向する第１凹部第１長側面及び第１凹部第２長側面と、前記発光素子の第１及び第２短側面と対向する一対の第１凹部短側面と、底面と、を備えた第１凹部を備え、前記第１凹部第１長側面に、前記第１凹部内にスライド可能であって、前記第１凹部の高さよりも低い高さ、かつ、前記第１凹部の幅よりも小さい幅のスライド部を備えた下金型を準備する工程と、
前記下金型の前記第１凹部と対向する凸部であって、前記発光素子の高さと同じ高さと、前記第１凹部第１長側面又は前記第１凹部第２長側面の幅と同じ幅の一対の凸部長側面と、前記第１凹部短側面の幅よりも幅の小さい一対の凸部短側面と、を有する凸部を備えた第１上金型を準備する工程と、
前記スライド部の側面が前記凸部第１長側面と接するように、前記下金型と前記第１上金型とを型閉し、前記第１凹部内に第１遮光性樹脂材料を注入して、第１遮光性樹脂を成型する工程と、
前記第１上金型及び前記下金型を型開して、前記第１遮光性樹脂を備える底面及び第２凹部第２長側面と、前記下金型からなる第２凹部第１長側面及び第２凹部短側面と、を備える第２凹部を形成する工程と、
前記第１遮光性樹脂の上に、前記第１主面を上側にし、前記第１長側面とスライド部とが対向するように、前記発光素子を配置する工程と、
第２上金型の下面が前記電極と対向するように、前記下金型とを型閉する工程と、
前記スライド部を、前記発光素子の第１長側面と当接するようにスライドさせる工程と、
前記第２凹部内に第２遮光性樹脂材料を注入し、前記第１遮光性樹脂及び前記発光素子の前記第１長側面のスライド部と当接している第１長側面以外の前記発光素子の表面と接し、かつ、前記スライド部の外周を覆う第２遮光性樹脂を成型する工程と、
前記下金型及び前記第２上金型を型開し、前記発光素子の前記第１長側面の少なくも一部が露出された発光装置中間体を取り出す工程と、
前記発光素子の前記第１長側面を被覆する透光性部材を形成する工程と、
を備えた発光装置の製造方法。
【請求項２】
前記第１上金型の前記凸部は、頂面に突起部を有する請求項１記載の発光装置の製造方法。
【請求項３】
前記突起部は、前記下金型と接する請求項２記載の発光装置の製造方法。
【請求項４】
前記第１上金型の前記凸部は、頂面に窪みを有する請求項１記載の発光装置の製造方法。
【請求項５】
前記スライド部は、前記第１凹部第１長側面の左右方向において中央に設けられる請求項１〜請求項４のいずれか１項に記載の発光装置の製造方法。
【請求項６】
前記スライド部は、前記第１凹部第１長側面の上下方向において中央に設けられる請求項１〜請求項５のいずれか１項に記載の発光装置の製造方法。
【請求項７】
前記第２上金型は、シートを介して前記電極と接する請求項１〜請求項６のいずれか１項に記載の発光装置の製造方法。
【発明の詳細な説明】
【技術分野】
【０００１】
本発明は、発光装置の製造方法に関する。
【背景技術】
【０００２】
発光素子を収納するハウジングを設ける代わりに、発光素子の側面を反射性部材で覆った側面発光型の発光装置が知られている（例えば特許文献１）。この発光装置は、複数の発光素子の上に波長変換部を形成し、波長変換部を切断して得られた側面を発光部としている。
【先行技術文献】
【特許文献】
【０００３】
【特許文献１】特開２０１５−９７２３５号公報
【発明の概要】
【発明が解決しようとする課題】
【０００４】
特許文献１に開示された方法により、小型の発光装置を得ることができる。このような小型の発光装置において、光取り出し効率のよい発光装置を得る方法が求められている。
【課題を解決するための手段】
【０００５】
本発明の実施形態に係る発光装置の製造方法は、以下の構成を含む。
電極を有する第１主面と、第１主面の反対側の第２主面と、第１主面及び第２主面との間にある第１長側面と、第１長側面の反対側の第２長側面と、第１主面及び第２主面との間にある第１短側面と、第１短側面の反対側の第２短側面と、を備えた直方体の積層構造体を備えた発光素子を準備する工程と、発光素子が収容可能であって、発光素子の第１及び第２長側面とそれぞれ対向する第１凹部第１長側面及び第１凹部第２長側面と、発光素子の第１及び第２短側面と対向する一対の第１凹部短側面と、底面と、を備えた第１凹部を備え、第１凹部第１長側面に、第１凹部内にスライド可能であって、第１凹部の高さよりも低い高さ、かつ、第１凹部の幅よりも小さい幅のスライド部を備えた下金型を準備する工程と、下金型の第１凹部と対向する凸部であって、発光素子の高さと同じ高さと、第１凹部第１長側面又は第１凹部第２長側面の幅と同じ幅の一対の凸部長側面と、第１凹部短側面の幅よりも幅の小さい一対の凸部短側面と、を有する凸部を備えた第１上金型を準備する工程と、スライド部の側面が凸部第１長側面と接するように、下金型と第１上金型とを型閉し、第１凹部内に第１遮光性樹脂材料を注入して、第１遮光性樹脂を成型する工程と、第１上金型及び下金型を型開して、第１遮光性樹脂を備える底面及び第２凹部第２長側面と、下金型からなる第２凹部第１長側面及び第２凹部短側面と、を備える第２凹部を形成する工程と、第１遮光性樹脂の上に、第１主面を上側にし、第１長側面とスライド部とが対向するように、発光素子を配置する工程と、第２上金型の下面が電極と対向するように、下金型とを型閉する工程と、スライド部を、発光素子の第１長側面と当接するようにスライドさせる工程と、第２凹部内に第２遮光性樹脂材料を注入し、第１遮光性樹脂及び発光素子の第１長側面のスライド部と当接している第１長側面以外の発光素子の表面と接し、かつ、スライド部の外周を覆う第２遮光性樹脂を成型する工程と、下金型及び第２上金型を型開し、発光素子の第１長側面の少なくも一部が露出された発光装置中間体を取り出す工程と、発光素子の第１長側面を被覆する透光性部材を形成する工程と、を備えた発光装置の製造方法。
【発明の効果】
【０００６】
本発明の実施形態によれば、光取り出し効率のよい発光装置を容易に得ることができる。
【図面の簡単な説明】
【０００７】
【図１Ａ】図１Ａは、実施形態１に係る発光装置の製造方法で得られる発光装置の一例を示す概略斜視図である。
【図１Ｂ】図１Ｂは、実施形態１に係る発光装置の製造方法で得られる発光装置の一例を示す概略斜視図である。
【図１Ｃ】図１Ｃは、図１ＡのＡ−Ａ線断面における概略断面図である。
【図２Ａ】図２Ａは、実施形態１に係る発光装置の製造方法で用いられる発光素子の一例を示す概略斜視図である。
【図２Ｂ】図１Ｂは、実施形態１に係る発光装置の製造方法で用いられる発光素子の一例を示す概略斜視図である。
【図２Ｃ】図２Ｃは、図２ＡのＢ−Ｂ線断面における概略断面図である。
【図３Ａ】図３Ａは、実施形態１に係る発光装置の製造方法で用いられる下金型の一例を示す概略端面図である。
【図３Ｂ】図３Ｂは、実施形態１に係る発光装置の製造方法で用いられる下金型の一例を示す概略端面図である。
【図３Ｃ】図３Ｃは、実施形態１に係る発光装置の製造方法で用いられる下金型の概略図である。
【図４Ａ】図４Ａは、実施形態１に係る発光装置の製造方法で用いられる第１上金型の一例を示す概略端面図である。
【図４Ｂ】図４Ｂは、実施形態１に係る発光装置の製造方法で用いられる第１上金型の一例を示す概略端面図である。
【図４Ｃ】図４Ｃは、実施形態１に係る発光装置の製造方法で用いられる第１上金型のスライド部の動きを説明する概略図である。
【図５Ａ】図５Ａは、実施形態１に係る発光装置の製造方法を説明する概略図である。
【図５Ｂ】図５Ｂは、実施形態１に係る発光装置の製造方法を説明する概略図である。
【図６Ａ】図６Ａは、実施形態１に係る発光装置の製造方法を説明する概略図である。
【図６Ｂ】図６Ｂは、実施形態１に係る発光装置の製造方法を説明する概略図である。
【図７Ａ】図７Ａは、実施形態１に係る発光装置の製造方法を説明する概略図である。
【図７Ｂ】図７Ｂは、実施形態１に係る発光装置の製造方法を説明する概略図である。
【図８Ａ】図８Ａは、実施形態１に係る発光装置の製造方法を説明する概略図である。
【図８Ｂ】図８Ｂは、実施形態１に係る発光装置の製造方法を説明する概略図である。
【図９Ａ】図９Ａは、実施形態１に係る発光装置の製造方法を説明する概略図である。
【図９Ｂ】図９Ｂは、実施形態１に係る発光装置の製造方法を説明する概略図である。
【図１０】図１０は、実施形態１に係る発光装置の製造方法を説明する概略図である。
【図１１Ａ】図１１Ａは、実施形態１に係る発光装置の製造方法を説明する概略図である。
【図１１Ｂ】図１１Ｂは、実施形態１に係る発光装置の製造方法を説明する概略図である。
【図１２Ａ】図１２Ａは、実施形態１に係る発光装置の製造方法を説明する概略図である。
【図１２Ｂ】図１２Ｂは、実施形態１に係る発光装置の製造方法を説明する概略図である。
【図１３Ａ】図１３Ａは、実施形態１に係る発光装置の製造方法を説明する概略図である。
【図１３Ｂ】図１３Ｂは、実施形態１に係る発光装置の製造方法を説明する概略図である。
【図１４Ａ】図１４Ａは、実施形態１に係る発光装置の製造方法を説明する概略図である。
【図１４Ｂ】図１４Ｂは、実施形態１に係る発光装置の製造方法を説明する概略図である。
【図１５】図１５（ａ）〜（ｃ）Ａは、実施形態２に係る発光装置の製造方法を説明する概略図である。
【図１６】図１６（ａ）〜（ｃ）は、実施形態２に係る発光装置の製造方法で得られる発光装置を示す。
【図１７】図１７は、実施形態３に係る発光装置の製造方法を説明する概略断面図である。
【図１８】図１８は、実施形態４に係る発光装置の製造方法を説明する概略断面図である。
【図１９】図１９は、実施形態に係る発光装置の製造方法で用いられる第１金型の変形例を示す概略斜視図である。
【発明を実施するための形態】
【０００８】
以下、図面に基づいて本発明の実施の形態を詳細に説明する。なお、以下の説明では、必要に応じて特定の方向や位置を示す用語（例えば、「上」、「下」、「右」、「左」および、それらの用語を含む別の用語）を用いる。それらの用語の使用は図面を参照した発明の理解を容易にするためであって、それらの用語の意味によって本発明の技術的範囲が限定されるものではない。また、複数の図面に表れる同一符号の部分は同一の部分又は部材を示す。
【０００９】
＜実施形態１＞
実施形態１に係る発光装置の製造方法で得られる発光装置１０を図１Ａ、図１Ｂ、図１Ｃに示す。発光装置１０は、発光素子２０と、発光素子２０からの光を透過する透光性部材３０と、発光素子２０からの光を遮光する遮光性樹脂４０と、を含む。
【００１０】
発光装置１０は、側面発光型（サイドビュータイプ）である。発光装置１０の下面１１に一対の電極２８を備えている。一対の電極２８は、二次基板上の配線と電気的に接合される。透光性部材３０を備えた正面（発光面）１３は、二次基板上に実装した際に側方（二次基板の上面と略平行な方向）を向くように配置されている。正面１３と下面１１以外の面、すなわち、上面１２と背面１４と２つの側面１５は遮光性樹脂４０で構成される。
【００１１】
正面視において、発光装置１０の発光面１３と発光素子２０の発光面２３とが重なっているため、光の取り出し効率がよい。また、発光装置１０の発光面１３は、透光性部材３０と、その外周に配置される遮光性樹脂４０とから構成されている。これにより発光領域の輪郭が明確な、いわゆる見切り性のよい発光装置とすることができる。
【００１２】
図２〜図１４を参照しながら、実施形態１に係る発光装置の製造方法について説明する。実施形態１では、図１Ａ等に示すように、正面１３における透光性部材３０が占める割合が比較的大きな発光装置１０を得るための製造方法について説明する。
【００１３】
（発光素子を準備する工程）
発光素子２０として、例えば発光ダイオード等の半導体発光素子を準備する。発光素子は、図２Ａ、図２Ｂ、図２Ｃに示すように、積層構造体２７と、正負一対の電極２８と、を備えている。積層構造体２７は略直方体である。積層構造体２７は、６つの面を備えている。詳細には、積層構造体２７は、電極２８が供えられた第１主面２１と、第１主面２１と反対側の第２主面２２と、を備える。さらに、積層構造体２７は、第１主面２１及び第２主面２２との間にある第１長側面２３と、第１長側面２３の反対側の第２長側面２４と、を備える。さらに、第１主面２１及び第２主面２２との間にある第１短側面２５と、第１短側面２５の反対側の第２短側面２６と、を備える。
【００１４】
（下金型を準備する工程）
図３Ａ、図３Ｂ、図３Ｃに示すように、上面に複数の第１凹部１１０を備えた下金型１００を準備する。１つの下金型１００は複数の第１凹部１１０を備えており、ここでは、２つの第１凹部１１０を例示している。１つの第１凹部１１０で１つの発光装置を形成することができる。図３Ｃに示すように、下金型１００は、隣接する２つの第１凹部１１０は、第１凹部短側面１１５を含む壁を介して配置される。図３Ａは長側面側の概略端面図、図３Ｂは短側面側の概略端面図を示す。図３Ｃは、後述のスライド部１２０の動きが分かるように、長側面の１つを省略した第１凹部１１０内部た部分断面図である。図３Ｃでは、右側の第１凹部１１０と左側の第１凹部とは、スライド部１２０の動きが分かるように、それぞれ異なる位置に配置された状態を示している。
【００１５】
各第１凹部１１０は、発光素子が収容可能な大きさである。詳細には、各第１凹部１１０は、底面（第１凹部底面１１２）と、４つの側面と、を備える。４つの側面は、２つの長側面と２つの短側面であり、長側面同士が対向し、短側面同士が対向している。下金型１００の第１凹部１１０の長側面は、発光素子を第１凹部内に収容した際に、発光素子の第１長側面２３と対向する第１凹部第１長側面１１３と、発光素子の第２長側面２４と対向する第１凹部第２長側面１１４と、を備える。下金型１００の第１凹部１１０の短側面は、発光素子を第１凹部１１０内に収容した際に、発光素子の第１短側面２５及び第２短側面２６とそれぞれ対向する２つの第１凹部短側面１１５と、を備える。
【００１６】
下金型１００の第１凹部第１長側面１１３は、第１凹部１１０内にスライド可能なスライド部１２０を備えている。図３Ｃでは２つの第１凹部１１０を図示しており、左側の第１凹部１１０では、スライド部１２０の側面は、スライド部１２０以外の第１凹部第１長側面１１３と同一面上となるように配置されている。図３Ｃの左側の第１凹部１１０中に示す矢印の方向にスライド部１２０をスライドさせた（移動させた）状態を、図３Ｃの右側の第１凹部１１０で示している。
【００１７】
このようなスライド部１２０は、例えば、下金型１００の内部に設けた可動式のピンによってスライド部を押す、または引っ張ることで、スライドさせることができる。詳細には、スライド部に達する孔の内部にピンを配置させておき、加圧によって孔内のピンを押すことでスライド部を第１凹部内に移動させることができる。また、減圧によって孔内のピンを引き出すことで、第１凹部内のスライド部を元の位置に移動させることができる。
【００１８】
スライド部１２０の高さＨＳは、第１凹部１１０の高さＨｂ１よりも低い。換言すると、スライド部１２０の上端は、第１凹部１１０の上端よりも下側に位置しており、スライド部１２０の下端は、第１凹部１１０の第１凹部底面１１２より上側に位置している。
【００１９】
スライド部１２０の幅ＷＳは、第１凹部１１０の幅Ｗｂ１よりも小さい。換言すると、スライド部１２０の右端及び左端は、第１凹部１１０の側面である第１凹部短側面１１５から離間している。
【００２０】
スライド部１２０は、後述の透光性部材の形成予定位置である。すなわち、スライド部１２０の大きさ（面積）が、発光装置の発光面の大きさとなる。また、スライド部１２０の形状が、発光装置の発光面の形状となる。そのため、スライド部１２０の高さ、幅、形状は、発光素子の大きさ、発光装置の大きさ、配光特性など、目的とする発光装置の形状に応じて適宜選択することができる。実施形態１では、発光面を比較的大きくした発光装置とするため、発光面は長方形としている。また、スライド部１２０の幅ＷＳは、第１凹部１１０の幅Ｗｂ１の７０％〜９５％程度、スライド部１２０の高さＨＳは、第１凹部１１０の高さＨｂ１の６０％〜９５％程度とすることができる。
【００２１】
スライド部１２０は、第１凹部第１長側面１１３において、上下方向及び左右方向において中央に位置することが好ましい。換言すると、スライド部１２０の上端と第１凹部第１長側面の上端との距離と、スライド部１２０の下端と第１凹部第１長側面の下端との距離とが略等しいことが好ましい。更に、スライド部１２０の右端と第１凹部第１長側面の右端との距離と、スライド部１２０の左端と第１凹部第１長側面の左端との距離とが略等しいことが好ましい。
【００２２】
（第１上金型を準備する工程）
図４Ａ、図４Ｂ、図４Ｃに示すように、第１上金型２００は、下金型１００の第１凹部１１０と対向する凸部２１０を備える。凸部２１０は、第１上金型２００の平面部２１９よりも高い位置（図４Ａでは下側）に頂面２１２を有する。平面部２１９は、下金型１００の第１凹部１１０の側壁の上面と対向する面である。凸部２１０の高さ（平面部から頂面までの距離）は、後述の発光素子と略同じ高さである。尚、凸部が、後述する突起部を有する場合は、突起部を除く部分の頂面から平坦部までの距離が発光素子と略同じ高さである。凸部２１０は、一対の第１凹部長側面（第１凹部第１長側面１１３及び第１凹部第２長側面１１４）と、略同じ幅Ｗｔの一対の凸部長側面（凸部第１長側面２１３及び凸部第２長側面２１４）を備える。また、凸部２１０は、図３Ｂに示す第２凹部短側面１３５の長さ（奥行）Ｄｂ１よりも小さい長さ（奥行）Ｄｔの一対の凸部短側面２１５を有する。
【００２３】
また、実施形態１では、凸部２１０は、頂面２１２に突起部２２０を有する。突起部２２０は、凸部２１０の頂面２１２の一部に設けられている。詳細には、突起部２２０は、凸部第１長側面２１３と面一となる長側面２２３を備えている。突起部２２０の長さ（幅）Ｗｔ１は凸部２１０の長側面の長さ（幅）Ｗｔと同じである。また、突起部２２０の頂面２２２は、第１凹部１１０の第１凹部底面１１２に達しない高さで設けられる。すなわち、突起部２２０の高さＨｔ１と突起部以外の凸部２１０の高さＨｔとの合計高さは、第１凹部１１０の高さ（深さ）Ｈｂ１よりも低い。尚、「凸部の高さ」とは、突起部を含む場合は、突起部を含む高さを指し、突起部を含まない領域では頂面までの高さを指すものとする。
【００２４】
突起部２２０の短側面２２５の長さ（奥行）Ｄｔ１は、突起部以外の凸部の頂面の長さ（奥行）Ｄｔ２が、図２Ｃで示す発光素子の短側面の長さ（奥行）Ｄｄと略等しくなるように設定する。また、この突起部２２０の短側面２２５の長さ（奥行）Ｄｔ１が、発光装置における透光性部材の高さ（厚み）と略等しくなる。
【００２５】
（型閉し、第１遮光性樹脂を成形する工程）
上述のように準備した下金型１００及び第１上金型２００を、図５Ａ、図５Ｂに示すように型閉する。詳細には、下金型１００の第１凹部第１長側面１１３のスライド部１２０の側面が、第１上金型２００の凸第１長側面２１３と接するように、下金型１００と第１上金型２００とを型閉する。これにより、下金型１００と、第１上金型２００との間には、図５Ｂに示すような、断面視が略Ｌ字状の空間が形成される。
【００２６】
次いで、図６Ａ、図６Ｂに示すように下金型１００と第１上金型２００と形成された空間内に第１遮光性樹脂材料を注入し、第１遮光性樹脂４１を成型する。尚、第１遮光性樹脂材料の注入口は、下金型又は上金型のいずれか一方、もしくは両方に設けることができる。
【００２７】
（型開し、第２凹部を形成する工程）
第１上金型２００と下金型１００を型開する。詳細には、下金型１００内に成型された第１遮光性樹脂４１が残るように、第１上金型２００を取り外すようにして型開する。これにより、図７Ａ、図７Ｂに示すような、第２凹部１３０が形成される。第２凹部１３０は第１遮光性樹脂４１と、下金型１００とで構成される。詳細には、第２凹部底面１３２と第２凹部第２長側面１３４とは、第１遮光性樹脂４１で構成される。２つの第２凹部短側面１３５と第２凹部第１長側面１３３とは、下金型１００で構成される。更に、第２凹部底面１３２を構成する第１遮光性樹脂４１は、図７Ｂに示すように、第１上金型の突起部２２０に相当する部分が凹んでいる。この凹んだ部分よりも上側となるように、スライド部１２０が配置されている。
【００２８】
第２凹部１３０の高さ、長側面の長さ、短側面の長さは、それぞれ第１上金型の凸部２１０（突起部２２０を含む）に対応した高さ及び長さである。
【００２９】
（発光素子を配置する工程）
次いで、図８Ａ、図８Ｂに示すように、第２凹部１３０内の第２凹部底面１３２、すなわち、第１遮光性樹脂４１上に、発光素子２０を載置する。詳細には、発光素子２０は、電極２８が形成された第１主面２１を上側にして載置する。このとき、発光素子２０は、第１長側面２３とスライド部１２０とが対向するよう、第２凹部１３０の短側面（第２凹部短側面１３５）から離間するように配置する。この段階では、発光素子２０はスライド部１２０と接しないよう、第２凹部第１長側面１３３から離間している。また、発光素子２０は第１遮光性樹脂４１で構成される第２凹部第２長側面１３４とは接するように配置する。
【００３０】
（第２上金型と下金型とを型閉する工程）
次に、図９Ａ、図９Ｂに示すように、第２上金型３００と下金型１００とを、発光素子２０を内包した状態で型閉する。第２上金型３００は、下面３１２が平坦な面（一平面）である点が第１上金型２００と異なる。第２上金型３００の下面３１２は、発光素子２０の電極２８と対向するように配置される。このとき、第２上金型３００の下面３１２はシートＳを介して発光素子２０の電極２８と接するように配置してもよい。第２上金型３００の下面３１２は、さらに下金型１００の凹部（第２凹部１３０）の上面と、シートＳを介して接するように配置される。これにより、凹部１３０内に、第１遮光性樹脂４１、発光素子２０、シートＳを介して第２上金型３００、下金型１００とで囲まれた空間が形成される。
【００３１】
シートＳは、例えば、シリコーン、塩化ビニール、ポリオレフィン、ポリウレタン、ポリイミド等からなるシートが挙げられる。シートの厚みは、特には限定されない。また、シートＳは、第１金型と下金型とを型閉する際にも用いることができる。
【００３２】
（スライド部をスライドさせる工程）
次に、図１０に示すように、スライド部１２０を、図９Ｂに示す発光素子２０の第１長側面２３と当接するようにスライドさせる。これにより、第２凹部１３０内において、発光素子２０の第１主面２１と、第２上金型３００との間、及び、発光素子２０と第２凹部短側面との間に空間が形成される。尚、スライド部１２０は、第２凹部１３０内に発光素子２０を載置後、上述の第２上金型３００と下金型１００とを型閉する前にスライドさせてもよい。
【００３３】
（第２遮光性樹脂を成型する工程）
次に、図１１Ａ、図１１Ｂに示すように、第２凹部１３０内に第２遮光性樹脂材料を注入し、第２遮光性樹脂４２を形成する。詳細には、第２遮光性樹脂４２は、第１遮光性樹脂４１と接するように形成される。更に、スライド部１２０が当接されている第１長側面２３以外の発光素子２０の表面と接するように、第２遮光性樹脂４２が形成される。また、第２凹部１３０内にスライドすることで露出されたスライド部１２０の外周部分を覆うように、第２遮光性樹脂４２が形成される。
【００３４】
（発光装置中間体を取り出す工程）
次に、下金型１００と第２上金型３００を型開し、図１２Ａ、図１２Ｂに示すように、発光素子２０の第１長側面２３が露出された発光装置中間体１０Ａを取り出す。取り出す前に、スライド部１２０をあらかじめ元の位置にまで移動させておく。また、複数の発光装置中間体１０ＡがシートＳと接しており、型開後はシートＳ単位で取り扱うことができる。
【００３５】
得られた発光装置中間体１０Ａは、発光素子２０の第１長側面２３と、電極２８の下面以外が遮光性樹脂４０で被覆された構造である。発光素子２０の第１長側面２３を備える長側面を正面１３、正面１３と対向する長側面を背面１４、とする。また、発光素子２０の電極２８が露出された長側面を下面１１、下面１１と対向する長側面を上面１２、発光素子２０の短側面２５、２６を被覆している一対の面を側面１５とする。
【００３６】
また、発光装置中間体１０Ａの正面１３は、発光素子２０の第１長側面２３よりも突出する遮光性樹脂４０が枠状に形成されている。換言すると、発光素子２０の第１長側面２３を底面とし、遮光性樹脂４０を側壁とする凹部（発光装置中間体凹部）が形成されている。型開されて取り出された段階では、各発光装置中間体１０Ａは、下面１１がシートＳと接しているため、この発光装置中間体凹部Ｒは側方に開口するように配置されている。
【００３７】
次に、図１３Ａ、図１３Ｂに示すように、発光素子２０の第１長側面２３が上を向くように発光装置中間体１０Ａの向きを変える。すなわち、発光装置中間体１０Ａの正面１３が上を向き、背面（長側面）１４がシートＳと接するように配置する。これにより、発光装置中間体凹部Ｒは上側を開口とするように配置される。尚、発光装置中間体１０Ａの向きを変える際に、別のシートＳ上に載置してもよいし、同一のシートＳ上で回転させるなどにより向きを変えてもよい。。
【００３８】
次に、図１４Ａ、図１４Ｂに示すように、発光装置中間体凹部Ｒ内に、透光性部材３０を形成する。透光性部材３０は、ポッティング、印刷、スプレーなどの方法で用いることができる。最後に、シートＳから剥離することで、図１Ａ等に示す発光装置１０を得ることができる。
【００３９】
発光装置１０は、発光部となる透光性部材３０の背部に発光素子２０が位置している。そのため、光取り出し効率がよい。また、透光性部材３０の周囲を遮光性樹脂４０で囲んでいるため、発光領域の輪郭が明確であり、見切り性のよい発光装置とすることができる。
【００４０】
上述のようにして得られる発光装置１０は、図１Ａ、図１Ｂ、図Ｃに示すように、正面１３は透光性部材３０と、その周囲を取り囲む枠状の遮光性樹脂４０と、で構成される。詳細には、透光性部材３０の下側長辺（下面１１側の長辺）と、その下側長辺に連なる側辺の一部とは、第２遮光性樹脂４２が配置され、透光性部材３０の上側長辺（上面１２側の長辺）と、その上側長辺に連なる側辺の一部は、第１遮光性樹脂４１が配置される。
【００４１】
発光装置１０の上面１２は、第１遮光性樹脂４１で構成される。発光装置１０の下面１１は、発光素子の電極２８が２つと、それらを取り囲む遮光性樹脂４０と、で構成される。詳細には、発光素子の電極２８を直接覆う第２遮光性樹脂４２と、背面１４側に配置される第１遮光性樹脂４１と、で構成される。
【００４２】
発光装置１０の側面（短側面）１５は、Ｌ字状の第１遮光性樹脂４１と、それに囲まれた四角形の第２遮光性樹脂４２と、で構成される。
【００４３】
第１遮光性樹脂４１と第２遮光性樹脂４２との境界は、用いる樹脂によっては明確に認識できる場合と、認識しにくい場合と、がある。認識し易い場合は、例えば、発光装置１０の側面１５のＬ字の向きによって、カソード又はアノードを認識することができる。
【００４４】
＜実施形態２＞
実施形態２に係る発光装置の製造方法では、第１上金型の突起部の高さ及び長さ（幅及び奥行）が、実施形態１と異なる。図１５（ａ）は、下金型１００Ａと第１上金型２００Ａを型閉した状態を示す断面図であり、実施形態１で説明した図５Ｂに対応する。実施形態２では、第１上金型２００Ａの凸部２１０Ａの突起部２２０Ａが、下金型１００Ａの第１凹部底面１１２に達する高さで設けられている点が、実施形態１と異なる。
【００４５】
更に、凸部の長さ（奥行）Ｄｔにおいて、突起部２２０Ａの長さＤｔ１Ａが、実施形態１よりも広く、突起部以外の凸部の頂面の長さ（奥行）Ｄｔ２Ａが、発光素子の短側面の長さ（奥行）Ｄｄよりも短い。そのため、第１遮光性樹脂４１を形成後、発光素子２０をその上に載置した際に、図１５（ｂ）に示すように、発光素子２０の下面の一部が浮いた状態となる。そして、第２凹部第１長側面１３３は、その全面において、第１遮光性樹脂４１から離間した状態となる。
【００４６】
その後、図１５（ｃ）に示すように、第２上金型３００と下金型１００Ａとを型閉し、第２遮光性樹脂４２を形成する。この時、第１凹部底面１１２と発光素子２０の間の空間にも、第２遮光性樹脂４２が形成される。
【００４７】
このようにして得られる発光装置５０を、図１６（ａ）〜（ｃ）に示す。実施形態１で得られる発光装置１０と同様に、発光部となる透光性部材３０の背部に発光素子２０が位置している。そのため、光取り出し効率がよい。また、透光性部材３０の周囲を遮光性樹脂４０で囲んでいるため、発光領域の輪郭が明確であり、見切り性のよい発光装置とすることができる。
【００４８】
発光装置５０の正面１３は、透光性部材３０と、その周囲を取り囲む枠状の遮光性樹脂４０が、全て第２遮光性樹脂４２からなる。これにより、例えば、継ぎ目のない枠状の遮光性樹脂４０で透光性部材３０を取り囲むことができるため、発光領域の輪郭がより明確となりやすい。
【００４９】
発光装置１０の上面１２は、第１遮光性樹脂４１と第２遮光性樹脂４２とで構成される。その他の面については、実施形態１と同様である。
【００５０】
実施形態２に係る発光装置の製造方法は、実施形態１に比べて、スライド部１２０Ａの高さ大きさを大きくすることができる。これは、図１５（ｃ）に示すように、スライド部１２０Ａを可動させる際に、第１遮光性樹脂４１が形成されていない領域で可動させるためである。これにより、より発光領域の広い発光装置とすることができる。また、発光素子の短側面の長さＤｄ、つまり発光素子の幅にばらつきが生じた場合であっても、その影響を受けにくい。
【００５１】
＜実施形態３＞
実施形態３に係る発光装置の製造方法では、図１７に示すように、凸部２１０Ｂの頂面が突起部を有さずに、窪み２３０を備えた第１上金型２００Ｂを用いるほかは、実施形態１と同様である。このような第１上金型２００Ｂを用いる場合は、下金型１００Ｂに設けられるスライド部１２０Ｂの面積を小さくする必要がある。そして、スライド部１２０Ｂの面積を小さくすることで、発光装置の発光部となる透光性部材の面積が小さくなる。そのため、光密度の高い発光装置とすることができる。このような構成を備えた発光装置も、発光部となる透光性部材の背部に発光素子が位置している点において、他の実施形態と同様である。したがって、光取り出し効率がよく、また、発光領域の輪郭が明確であり、見切り性のよい発光装置とすることができる。特に、実施形態３では、発光装置の正面において遮光性樹脂が占める割合が多いため、発光領域の輪郭がより明確となる。なお、図１７では、窪み２３０として、凸部の頂面の一部を面取りしたような傾斜面としているが、これに限らず、頂面と平行な面を備えた窪み（段差）としてもよい。
【００５２】
＜実施形態４＞
実施形態４に係る発光装置の製造方法では、図１８に示すように、凸部２１０Ｃ頂面がフラットである第１上金型２００Ｃを用いるほかは、実施形態１と同様である。すなわち、他の実施形態のように突起部や窪みを有していない。このような第１上金型２００Ｃは、突起部や窪みを精度よく加工する必要がないため、それらを備えた第１上金型に比してコストを低減することができる。下金型１００Ｃに設けられるスライド部１２０Ｃは、第１上金型２００Ｃの凸部２１０Ｃの高さに応じて大きさを調整することができる。
【００５３】
上述の各実施形態において、スライド部は、図３Ｃに示すような矩形とすることができる。しかしながら、これに限らず、例えば、図１９に示す下金型１００Ｄに示すような楕円状のスライド部１２０Ｄのほか、円形、多角形、もしくは、これらを組みあわせた形状とすることができる。このスライド部の形状によって発光部の形状が決められるため、目的や用途等に応じて適宜選択することができる。また、１つの凹部（第１凹部、第２凹部）に、１つのスライド部、又は、２以上のスライド部を設けてもよい。
【００５４】
以上のように、実施形態における発光装置の製造方法は、発光素子を被覆する遮光性樹脂を２度に分けて形成し、２度目の遮光性樹脂の形成時にスライド部を備えた金型を用いて遮光性樹脂を枠状に形成し、その枠状の遮光性樹脂で囲まれた領域に透光性部材を形成する工程を備えている。
【００５５】
以下に、各実施形態の発光装置の各構成部材に適した材料等について説明する。
【００５６】
（発光素子）
発光素子としては、例えば発光ダイオード等の半導体発光素子を用いることができ、青色、緑色、赤色等の可視光を発光可能な発光素子を用いることができる。半導体発光素子は、透光性基板と、その上に形成された半導体積層体とを含むことができる。また、半導体積層体は、透光性基板とは反対側（対向する面）に、電極を備えた電極形成面を備えている。透光性基板側は光の取り出し面として用いられる。
【００５７】
（半導体積層体）
半導体積層体は、複数の半導体層を含む。半導体積層体の一例としては、第１導電型半導体層（例えばｎ型半導体層）、発光層（活性層）および第２導電型半導体層（例えばｐ型半導体層）の３つの半導体層を含むことができる。紫外光や、青色光から緑色光の可視光を発光可能な半導体層としては、例えば、ＩＩＩ−Ｖ族化合物半導体、ＩＩ−ＶＩ族化合物半導体等の半導体材料から形成することができる。具体的には、ＩｎＸＡｌＹＧａ１−Ｘ−ＹＮ（０≦Ｘ、０≦Ｙ、Ｘ＋Ｙ≦１）等の窒化物系の半導体材料（例えばＩｎＮ、ＡｌＮ、ＧａＮ、ＩｎＧａＮ、ＡｌＧａＮ、ＩｎＧａＡｌＮ等）を用いることができる。赤色を発光可能な半導体積層体としては、ＧａＡｓ、ＧａＡｌＡｓ、ＧａＰ、ＩｎＧａＡｓ、ＩｎＧａＡｓＰ等を用いることができる。
【００５８】
（透光性基板）
発光素子の透光性基板には、例えば、上記の窒化物系半導体材料の場合、サファイア（Ａｌ２Ｏ３）、スピネル（ＭｇＡ１２Ｏ４）のような透光性の絶縁性材料や、半導体積層体からの発光を透過する半導体材料（例えば、窒化物系半導体材料）を用いることができる。また、ＧａＡｓ等の半導体材料の場合、ＧａＡｌＡｓ、ＩｎＧａＡｓ等が挙げられる。ここでの透光性とは、発光素子から出射される光の６０％、６５％、７０％又は８０％程度以上を透過し得る性質を指す。
【００５９】
（電極）
発光素子が有する一対の電極は、半導体層の同一面側に配置されている。これらの一対の電極は、上述した第１導電型半導体層及び第２導電型半導体層と、それぞれ、電流−電圧特性が直線又は略直線となるようなオーミック接続されるものであれば、単層構造でもよいし、積層構造でもよい。このような電極は、当該分野で公知の材料及び構成で、任意の厚みで形成することができる。例えば、十数μｍ〜３００μｍが好ましい。また、電極としては、電気良導体を用いることができ、例えばＣｕ、Ａｕ、Ａｇ、ＡｕＳｎ等の金属が好適である。
【００６０】
（透光性部材）
透光性部材は、透光性樹脂、ガラス等が使用できる。特に、透光性樹脂が好ましく、シリコーン樹脂、シリコーン変性樹脂、エポキシ樹脂、フェノール樹脂などの熱硬化性樹脂、ポリカーボネート樹脂、アクリル樹脂、メチルペンテン樹脂、ポリノルボルネン樹脂などの熱可塑性樹脂を用いることができる。特に、耐光性、耐熱性に優れるシリコーン樹脂が好適である。
【００６１】
透光性部材は、上記の透光性材料に加え、蛍光体を含んでもよい。蛍光体は、発光素子からの発光で励起可能なものが使用される。例えば、青色発光素子又は紫外線発光素子で励起可能な蛍光体としては、セリウムで賦活されたイットリウム・アルミニウム・ガーネット系蛍光体（ＹＡＧ：Ｃｅ）；セリウムで賦活されたルテチウム・アルミニウム・ガーネット系蛍光体（ＬＡＧ：Ｃｅ）；ユウロピウムおよび／又はクロムで賦活された窒素含有アルミノ珪酸カルシウム系蛍光体（ＣａＯ−Ａｌ２Ｏ３−ＳｉＯ２）；ユウロピウムで賦活されたシリケート系蛍光体（（Ｓｒ，Ｂａ）２ＳｉＯ４）；βサイアロン蛍光体、ＣＡＳＮ系蛍光体、ＳＣＡＳＮ系蛍光体等の窒化物系蛍光体；ＫＳＦ系蛍光体（Ｋ２ＳｉＦ６：Ｍｎ）；硫化物系蛍光体、量子ドット蛍光体などが挙げられる。これらの蛍光体と、青色発光素子又は紫外線発光素子と組み合わせることにより、様々な色の発光装置（例えば白色系の発光装置）を製造することができる。また、第１透光性部材には、粘度を調整する等の目的で、各種のフィラー等を含有させてもよい。
【００６２】
（遮光性樹脂）
遮光性樹脂として、第１遮光性樹脂及び第２遮光性樹脂を含む。遮光性樹脂に使用できる樹脂材料としては、特に、シリコーン樹脂、シリコーン変性樹脂、エポキシ樹脂、フェノール樹脂などの熱硬化性の透光性樹脂であるのが好ましい。
【００６３】
遮光性樹脂は、光反射性樹脂から形成することができる。光反射性樹脂とは、発光素子からの光に対する反射率が７０％以上の樹脂材料を意味する。遮光性樹脂に達した光が反射されて、発光装置の発光面に向かうことにより、発光装置の光取出し効率を高めることができる。
【００６４】
光反射性樹脂としては、例えば透光性樹脂に、光反射性物質を分散させたものが使用できる。光反射性物質としては、例えば、酸化チタン、酸化ケイ素、酸化ジルコニウム、チタン酸カリウム、酸化アルミニウム、窒化アルミニウム、窒化ホウ素、ムライトなどが好適である。光反射性物質は、粒状、繊維状、薄板片状などが利用できるが、特に、繊維状のものは遮光性樹脂の熱膨張率を低下させる効果も期待できるので好ましい。
【００６５】
以上、本発明に係るいくつかの実施形態について例示したが、本発明は上述した実施形態に限定されるものではなく、本発明の要旨を逸脱しない限り任意のものとすることができることは言うまでもない。
【符号の説明】
【００６６】
１０、５０…発光装置
１０Ａ…発光装置中間体
１１…下面（電極が露出された面）
１２…上面
１３…正面（発光面）
１４…背面（長側面）
１５…側面（短側面）
Ｒ…凹部（発光装置中間体凹部）
２０…発光素子
２１…第１主面（電極を有する面）
２２…第２主面
２３…第１長側面（発光面）
２４…第２長側面
２５…第１短側面
２６…第２短側面
２７…積層構造体
２８…電極
Ｈｄ…高さ
Ｗｄ…長側面の長さ（幅）
Ｄｄ…短側面の長さ（奥行）
３０…透光性部材
４０…遮光性樹脂
４１…第１遮光性樹脂
４２…第２遮光性樹脂
１００、１００Ａ、１００Ｂ、１００Ｃ、１００Ｄ…下金型
１１０…第１凹部
１１２…第１凹部底面
１１３…第１凹部第１長側面（発光面）
１１４…第１凹部第２長側面
１１５…第１凹部短側面
Ｈｂ１…第１凹部の高さ（深さ）
Ｗｂ１…第１凹部の長側面の長さ（幅）
Ｄｂ１…第１凹部の短側面の長さ（奥行）
１２０、１２０Ａ、１２０Ｂ、１２０Ｃ、１２０Ｄ…スライド部
ＨＳ…スライド部の高さ
ＷＳ…スライド部の長さ（幅）
Ｗｄ…スライド部の長さ（奥行）
Ｗｄ１…凹部内にスライドしたスライド部の長さ（奥行）
１３０…第２凹部
１３２…第２凹部底面
１３３…第２凹部第１長側面（発光面）
１３４…第２凹部第２長側面
１３５…第２凹部短側面
２００、２００Ａ、２００Ｂ、２００Ｃ…第１上金型
２１０、２１０Ａ、２１０Ｂ、２１０Ｃ…凸部
２１２…凸部の頂面
２１３…凸部第１長側面（発光面となる面を形成する面）
２１４…凸部第２長側面
２１５…凸部短側面
２１９…平面部
Ｈｔ…凸部の高さ
Ｗｔ…凸部の長側面の長さ（幅）
Ｄｔ…凸部の短側面の長さ（奥行）
２２０、２２０Ａ…突起部
２２２…突起部の頂面
２２３…突起部の長側面
２２５…突起部の短側面
Ｈｔ１…突起部の高さ
Ｗｔ１…突起部の長さ（幅）
Ｄｔ１、Ｄｔ１Ａ…突起部の長さ（奥行）
Ｄｔ２、Ｄｔ２Ａ…突起部以外の長さ（奥行）
２３０…窪み
３００…第２上金型
３１２…第２上金型の下面
Ｓ…シート
【図１Ａ】
0006575436.tif 000002
【図１Ｂ】
0006575436.tif 000003
【図１Ｃ】
0006575436.tif 000004
【図２Ａ】
0006575436.tif 000005
【図２Ｂ】
0006575436.tif 000006
【図２Ｃ】
0006575436.tif 000007
【図３Ａ】
0006575436.tif 000008
【図３Ｂ】
0006575436.tif 000009
【図３Ｃ】
0006575436.tif 000010
【図４Ａ】
0006575436.tif 000011
【図４Ｂ】
0006575436.tif 000012
【図４Ｃ】
0006575436.tif 000013
【図５Ａ】
0006575436.tif 000014
【図５Ｂ】
0006575436.tif 000015
【図６Ａ】
0006575436.tif 000016
【図６Ｂ】
0006575436.tif 000017
【図７Ａ】
0006575436.tif 000018
【図７Ｂ】
0006575436.tif 000019
【図８Ａ】
0006575436.tif 000020
【図８Ｂ】
0006575436.tif 000021
【図９Ａ】
0006575436.tif 000022
【図９Ｂ】
0006575436.tif 000023
【図１０】
0006575436.tif 000024
【図１１Ａ】
0006575436.tif 000025
【図１１Ｂ】
0006575436.tif 000026
【図１２Ａ】
0006575436.tif 000027
【図１２Ｂ】
0006575436.tif 000028
【図１３Ａ】
0006575436.tif 000029
【図１３Ｂ】
0006575436.tif 000030
【図１４Ａ】
0006575436.tif 000031
【図１４Ｂ】
0006575436.tif 000032
【図１５】
0006575436.tif 000033
【図１６】
0006575436.tif 000034
【図１７】
0006575436.tif 000035
【図１８】
0006575436.tif 000036
【図１９】
0006575436.tif 000037